(57)【特許請求の範囲】
【請求項１】
複数の細長の光源が互いに離間して略平行に収納される器具本体と、この器具本体を天井下面に離間して吊設する吊具とを備え、前記器具本体の上面に天井側に光を照射させる上方投光開口部を設けると共に下面に床面側に光を照射させる下方投光開口部を設けてなり、所定の取付間隔をあけて天井に取り付けられる照明器具において、前記上方投光開口部の前記光源より器具本体中心側に、前記光源から発せられた光を器具本体の斜め上方に反射させて前記上方投光開口部から放出される光のビーム中心が隣接して取り付けられる器具との略中央の天井面に向けられる反射板を設け、この反射板を、前記細長の光源のランプ軸と略平行な軸を中心として回動自在に形成するとともに、前記下方投光開口部の上面側に、上端が前記光源の側方に位置して下方投光開口部から放出される光を制御するルーバを設けると共に、前記器具本体の上方投光開口部の端部を形成する側壁の上端を、前記ルーバの上端に当接するように延出させたことを特徴とする照明器具。
【発明の詳細な説明】
【０００１】
【発明の属する技術分野】
本発明は、照明器具に関するものである。
【０００２】
【従来の技術】
図５は、従来の照明器具（第１の従来例）を示すもので、この照明器具は、天井に直付けされる照明器具であって、器具本体１の内部に細長の光源２である直管形蛍光灯２ａが収納されて構成されている。
【０００３】
器具本体１は、本体部１ａとその本体部１ａを収納するように装着される枠状体部１ｂとを備えて細長の略箱状に形成されている。本体部１ａは、下方に光を反射させる断面が略Ｖ字状の反射面１ｃと、天井への取付部１ｄを備え、反射面１ｃを下方に向けて天井下面に取り付けられると共に、反射面１ｃの近傍には、反射面１ｃにそれぞれ対向させて平行に直管形蛍光灯２ａを装着できるように、それぞれソケット（図示せず）が配設されている。また、枠状体部１ｂは、上下に開口した角枠状であって、上側の開口には本体部１ａが反射面１ｃ側から挿入されて、枠状体部１ｂが、ソケットに装着された直管形蛍光灯２ａと共に本体部１ａの側方を略被うように本体部１ａに取り付けられている。そして、器具本体１の長尺方向に垂直な断面において、本体部１ａ両側と枠状体部１ｂの上側の開口の端部との間には、上側の天井面側から直管形蛍光灯２ａの一部が視認できる細幅の隙間が形成されて天井面方向に光を放出する上方投光開口部１ｅとされ、器具本体１の下側であって枠状体部１ｂの下側の開口が、床面側に光を照射させる下方投光開口部１ｆとされている。
【０００４】
このように構成された照明器具では、光源２である直管形蛍光灯２ａからの光は、主に下方投光開口部１ｆから床面側に放出されて床面側を照射するが、一部が上方投光開口部１ｅから上方である天井面側にも放出されて天井面を明るく照らし、室内空間に広がり感を与えるようにされている。
【０００５】
図６及び図７は、従来の別の照明器具（第２の従来例）を示すもので、前記第１の従来例と異なる点は、照明器具を、図７に示すように山形の天井板３を備えたシステム天井のＴバー４に載置させて取り付け、枠状体部１ｂの上側を大きく開口させて上方投光開口部１ｅの面積を大きくすると共に、直管形蛍光灯２ａからの直射光及び本体部１ａの反射面１ｃでの反射光を、器具本体１の側方の天井面側により多く放出させるようにした点と、反射面１ｃの形状を曲面状に形成した点、及び下方投光開口部１ｆにルーバ５を、下方投光開口部１ｆの端部を形成する枠状体部１ｂの側壁１ｇの下端で支持させて設けた点であり、他は前記第１の従来例と略同様に構成されている。
【０００６】
【発明が解決しようとする課題】
しかしながら、上述のように構成された第１の従来例に示す照明器具においては、上方投光開口部１ｅから放出される光は、主として直管形蛍光灯２ａからの直射光であって、器具本体１に近接した天井面は光源２からの距離が近いため明るくなるものの、器具本体１から離れた天井面は暗くなって、天井面全体では器具本体１の近傍の天井面が明るくなり過ぎて、天井面に輝度むらが生じて見苦しいという問題点があった。
【０００７】
また、第２の従来例に示す照明器具においては、光は器具本体１の上方投光開口部１ｅから器具本体１の側方であって天井面側に多く出るようにはなるものの、第１の従来例と同様に、器具本体１の近傍の天井６面が明るくなり過ぎて、天井面に輝度むらが生じて見苦しいばかりか、照明器具の取付間隔（取付ピッチ）が変更されたような場合にあっては、天井面に輝度むらが生ずることが避けられないという問題点があった。
【０００８】
本発明は、上記問題点に鑑みてなされもので、その目的とするところは、天井面の輝度むらを低減し見苦しさを生じない照明器具を提供することにあり、また、別の目的とするところは、照明器具の取付ピッチを変更しても天井面に輝度むらが生じない照明器具を提供することにある。
【０００９】
【課題を解決するための手段】
本発明は上記の問題点を解決するため、請求項１記載の発明にあっては、複数の細長の光源２が互いに離間して略平行に収納される器具本体１と、この器具本体１を天井６下面に離間して吊設する吊具７とを備え、前記器具本体１の上面に天井６側に光を照射させる上方投光開口部１ｅを設けると共に下面に床面側に光を照射させる下方投光開口部１ｆを設けてなり、所定の取付間隔をあけて天井６に取り付けられる照明器具において、前記上方投光開口部１ｅの前記光源２より器具本体１中心側に、前記光源２から発せられた光を器具本体１の斜め上方に反射させて前記上方投光開口部１ｅから放出される光のビーム中心が隣接して取り付けられる器具との略中央の天井６面に向けられる反射板８を設けたことを特徴とするものである。
【００１０】
さらに請求項１記載の発明にあっては、前記反射板８を、前記細長の光源２のランプ軸と略平行な軸を中心として回動自在に形成したことを特徴とするものである。
【００１１】
さらに請求項１記載の発明にあっては、前記下方投光開口部１ｆの上面側に、上端が前記光源２の側方に位置して下方投光開口部１ｆから放出される光を制御するルーバ５を設けると共に、前記器具本体１の上方投光開口部１ｅの端部を形成する側壁１ｇの上端を、前記ルーバ５の上端に当接するように延出させたことを特徴とするものである。
【００１２】
【発明の実施の形態】
図１は、本発明の照明器具の第１の実施の形態を示すものであり、この照明器具は、天井６の下面に吊設される照明器具であって、主に、器具本体１と、ルーバ５、吊具７、及び反射板８とを有して構成されている。
【００１３】
器具本体１は、鋼板製であって例えば下面側が白色塗装されてなり、下面に下方である床面側に光を放出させる下方投光開口部１ｆが設けられて長尺の略箱状に形成されている。そして、その長尺方向の両端には光源２を装着するソケット（図示せず）が配設されて、器具本体１の内部には長尺の光源２である２本の直管形蛍光灯２ａが器具本体１の中心線を挟んで略平行に離間するように収納されている。また、器具本体１の上面であって、長尺方向に垂直方向の断面における両側には、長尺方向に沿って天井６側に光を照射させる２つの上方投光開口部１ｅが形成されている。この上方投光開口部１ｅは、器具本体１の長尺方向に垂直な断面において、天井６への取り付けのための吊具７が取り付けられる器具本体１の上面中央部の取付部１ｄの両側方に、器具本体１の側壁１ｇにまで至り側壁１ｇの上端を切り欠くように形成されている。そして、細長の光源２である２本の直管形蛍光灯２ａが、器具本体１の内部であって２つの上方開口部１ｅの下側にそれぞれ位置するようにされている。
【００１４】
ルーバ５は、上下に開口してなり、その内側であって上端近傍に直管形蛍光灯２ａが位置するように、器具本体１の下方投光開口部１ｆの周端部を形成する側壁１ｇの下端に載置されており、内面側が高反射率を有する例えば鏡面仕上げされて、下方投光開口部１ｆから床面側に照射される光を制御するようにされている。また、ルーバ５の器具本体１の側壁１ｇ側の上端は、上方投光開口部１ｅの外側の端部である器具本体１の側壁１ｇの切り欠かれた上端と直管形蛍光灯２ａの中心とを結ぶ線上に位置して、直管形蛍光灯２ａの下側半分から放出される光を、効率良く下方投光開口部１ｆに導くようにされている。
【００１５】
吊具７は、一端が器具本体１の上側の取付部１ｄに取り付けられて、器具本体１を天井６に、その下面から所定距離だけ下方に離間させて吊設させるもので、１台の器具本体１を吊り下げるために２つの吊具７が使用されるようにされている。そして、複数の照明器具が、天井６に所定間隔（取付ピッチ）Ｐをあけて取り付けられるようにされている。
【００１６】
反射板８は、器具本体１の上方投光開口部１ｅの光源２より器具本体１中央側である取付部１ｄ側に、上端が上方投光開口部１ｅから突出して設けられたもので、所定間隔（取付ピッチ）Ｐで照明器具が天井６に取り付けられた状態で、光源２である直管形蛍光灯２ａから発せられた光を斜め上側に反射させて、上方投光開口部１ｅから放出される光のビーム中心が、隣接して設置される照明器具との略中央である器具本体１から略Ｐ／２だけ離れた天井６面に向けられるようにされている。また、反射板８は、少なくとも光源２が配設される側が高反射率となるように例えば鏡面仕上げされてなり、その上端は、吊具７の天井６への取付中心から光源２である直管形蛍光灯２ａの器具本体１の側壁１ｇ側の管壁への接線上に略位置して、一方の光源２側からの光が、器具本体１の中心を挟んで他方の光源２の上方の天井６面側に到達しないように、その光を遮光するようにされている。また、反射板８の下端は、ルーバ５の器具本体１の中央側の上端に略当接するように設けられている。したがって、光源２である直管形蛍光灯２ａの上側半分から放出された光は、直接、または反射板８を介して、効率良く器具本体１の斜め上方の天井６側に導かれる。
【００１７】
このように構成されているため、本実施の形態における照明器具においては、照明器具の取付ピッチＰの略中央に位置して器具本体１から最も遠い位置にある天井６面には、上方投光開口部１ｅから放出される光のビーム中心が向けられて、この部分が両側の照明器具により照らされて明るくなり、それよりも近接した側の天井６面は光源２との距離が近いため明るく照らされる。また、反射板８により、一方の光源２側からの光が、器具本体１の中心を挟んで他方の光源２の上方の天井６面側に到達しないように遮光されるため、器具本体１の真上近傍の天井６面が明るくなり過ぎることも緩和される。このため、天井６面がより均一な照度となり輝度むらが低減されて見栄えが良くなる。また、１つの光源２で床面側と天井６面側の両方を照らすことができるが、光源２から放出される光のうち、直接器具本体１の外部に放出される直射光はもとより、ルーバ５の上端が光源２の略中心線と略同一面内にあるため、下側から放出される光はルーバ５により反射されて効率良く下方投光開口部１ｆ側に導かれ、反射板８の下端とルーバ５の上端が略当接するようにされているため、上側の光は同様に反射板８により効率良く器具本体１の上側方に導かれて、器具効率が低下することもない。
【００１８】
図２は、本発明の照明器具の第２の実施の形態を示すものであり、前記第１の実施の形態と異なる点は、反射板８を細長の光源２のランプ軸と略平行な軸を中心として回動自在とした点であり、他は前記第１の実施の形態と略同様に構成されている。
【００１９】
つまり、反射板８の長尺方向の両端には側板８ａが設けられてなり、その側板８ａには円弧状のスリット８ｂが設けられ、このスリット８ｂをガイドとして反射板８がランプ軸をも含めたランプ軸と略平行な軸を中心として回動自在となるようにされているのである。
【００２０】
このように構成しても前記第１の実施の形態と同様の効果を奏すると共に、反射板８を回動させることにより、上方投光開口部１ｅから放出される光のビーム中心の向く方向を変えることができるため、照明器具の取付ピッチＰが異なる場合であっても、反射板８を回動させて上方投光開口部１ｅから放出される光のビーム中心の向く方向を変えることにより、天井６面での輝度むらを低減でき、施工後に照明器具の取付ピッチを変更したような場合であっても、容易に天井６面の輝度むらを低減できる。
【００２１】
図３は、本発明の照明器具の第３の実施の形態を示すものであり、前記第１の実施の形態と異なる点は、器具本体１の上方投光開口部１ｅ周端を形成する側壁１ｇの上端を、その長尺方向の略全長にわたってルーバ５の上端に略当接するように器具本体１の中心側に向かって略水平に延出させて延出部１ｈを形成させた点であり、他は前記第１の実施の形態と略同様に構成されている。
【００２２】
このように構成しても前記第１の実施の形態と同様の効果を奏すると共に、器具本体１の側壁１ｇから延出させた延出部１ｈが、ルーバ５と器具本体１の側壁１ｇの間の上方に存在するため、室内の冷暖房等により舞い上がって上方投光開口部１ｅから入ってくる埃が、延出部１ｈに遮られてルーバ５を載置する側壁１ｇの下端の溝状の部分や、ルーバ５の上面にたまりにくくなり、清掃を行う頻度が削減されて保守作業が容易となる。
【００２３】
図４は、本発明の照明器具の第４の実施の形態を示すものであり、前記第３の実施の形態と異なる点は、器具本体１の側壁１ｇの上端に形成する延出部１ｈを、上方投光開口部１ｅから天井６側に放出される光源２からの光を略遮らないように、ルーバ５の上端に略当接するように器具本体１の中心側に向かって斜め下方に延出させて形成した点であり、他は前記第３の実施の形態と略同様に構成されている。
【００２４】
このように構成しても前記第３の実施の形態と同様の効果を奏すると共に、器具本体１の側壁１ｇから延出させた延出部１ｈの上面を、光源２である直管形蛍光灯２ａの反射面として利用することもできる。
【００２５】
【発明の効果】
このように構成されているため本発明は、請求項１記載の発明にあっては、照明器具の取付ピッチの略中央に位置して器具本体から最も遠い位置にある天井面には、上方投光開口部から放出される光のビーム中心が向けられて、この部分が両側の照明器具により照らされて明るくなり、それよりも近接した側の天井面は光源との距離が近いため明るく照らされる。また、反射板により、一方の光源側からの光が、器具本体の中心を挟んで他方の光源の上方の天井面側に到達しないように遮光されるため、器具本体の真上近傍の天井面が明るくなり過ぎることも緩和される。このため、天井面がより均一に近い照度となり輝度むらが低減されて見栄えを良くすることができる。
【００２６】
さらに請求項１記載の発明にあっては、反射板を回動させることにより、上方投光開口部から放出される光のビーム中心の向く方向を変えることができるため、照明器具の取付けピッチが異なる場合であっても、反射板を回動させて上方投光開口部から放出される光のビーム中心の向く方向を変えることにより、天井面での輝度むらを低減でき、施工後に照明器具の取付けピッチを変更したような場合であっても、容易に天井面の輝度むらを低減できる。
【００２７】
さらに請求項１記載の発明にあっては、器具本体の側壁から延出させた部分が、ルーバと器具本体の側壁の間の上方に存在するため、室内の冷暖房等により舞い上がって上方投光開口部から入ってくる埃が、ルーバを載置する部分や、ルーバの上面にたまりにくくなって清掃を行う頻度が削減されて保守作業が容易となる。
【図面の簡単な説明】
【図１】本発明の照明器具の第１の実施の形態を示すもので、(a) は一部破断状態の要部の正面図、(b) は天井に取り付けられた状態を示す模式図である。
【図２】本発明の照明器具の第２の実施の形態の要部を示す斜視図である。
【図３】本発明の照明器具の第３の実施の形態の要部を示す一部破断状態の正面図である。
【図４】本発明の照明器具の第４の実施の形態の要部を示す一部破断状態の正面図である。
【図５】従来の照明器具（第１の従来例）を示すもので、(a) は斜視図、(b) は断面を示す模式図である。
【図６】従来の別の照明器具（第２の従来例）を示す断面図である。
【図７】同上の照明器具をシステム天井に施工した状態を示す斜視図である。
【符号の説明】
１      器具本体
１ｅ    上方投光開口部
１ｆ    下方投光開口部
１ｇ    側壁
２      光源
５      ルーバ
６      天井
７      吊具
８      反射板
【図１】
0003806963.tif 000002
【図２】
0003806963.tif 000003
【図３】
0003806963.tif 000004
【図４】
0003806963.tif 000005
【図５】
0003806963.tif 000006
【図６】
0003806963.tif 000007
【図７】
0003806963.tif 000008